(57)【要約】      （修正有）【課題】トートバッグと防災頭巾の２形態の機能を合わせ持ち、より身近に常備し携帯出来るように工夫した新しい発想のトートバッグ兼用防災頭巾を提供する。【解決手段】トートバッグ生地を二層に折り、生地を縦方向に間隔を開け、複数箇所を縫い合わせて複数のポケットを作成し、落下物より頭部を保護する衝撃吸収マットが収納し、更に、２側面にファスナー１を設け、バッグ型にした中央部に手提げ紐兼顎紐４を縫合により取り付け、前記手提げ紐兼顎紐４の一部は着脱可能とし、又、吊り下げロープ２をバッグ下側の角部に縫合により取り付け、又、集音の為の耳穴３はバッグ真ん中以外の縫合部に取り付け、更に笛と携帯ライトを取り付け可能なハトメによるホール又は輪にしたロープをトートバッグ手提げ紐兼顎紐縫合部裏面に設ける。【選択図】図１
0003180242.tif 000002
【実用新案登録請求の範囲】
【請求項１】
トートバッグ兼用防災頭巾に於いて、トートバッグ全体を縫合によりポケット状に区切りを付けた事により非常持出し品等や又、落下物より頭部を保護する衝撃吸収マットを収納する事を可能とした事を特徴とするトートバッグ兼用防災頭巾。
【請求項２】
トートバッグ全体を縫合によりポケット状に区切り、少なくともトートバッグの２側面にファスナーを設け、手提げ紐兼顎紐、吊り下げロープ、集音の為の耳穴を設け、更に個人情報等記入したカードを収納可能な笛と携帯ライトを取り付け可能なハトメによるホールまたは輪にしたロープを設け、トートバッグ時はファスナーを閉じ、防災頭巾時はファスナーを開き、更に手提げ紐兼顎紐の複数個のホックを着脱し、頭部に頭巾を被り、口元で顎紐として結ぶだけの簡単操作でバッグから防災頭巾へ移行出来るようにした請求項１記載のトートバッグ兼用防災頭巾。
【請求項３】
緊急避難時、防災頭巾として使用時、誘導指示等が集音できるように左右に耳穴を設けてある事を特徴とする請求項１または２記載のトートバッグ兼用防災頭巾。
【考案の詳細な説明】
【技術分野】
【０００１】  本考案のトートバッグ兼用防災頭巾はトートバッグ全体を縫合によりポケット状に区切りを付け、そのポケットの中に非常持出し品等又、頭部を保護する衝撃吸収マットを収納し、ファスナーの開閉及び手提げ紐兼顎紐の複数個のホックを着脱し、頭部に頭巾を被り、口元で顎紐として結ぶだけでバッグより防災頭巾に簡単に移行する事ができ尚且つ、日用品等も日常的に持ち運べる大変画期的なトートバッグ兼用防災頭巾である。又、いつ遭遇するか分からない、地震や災害による被害から少しでも身を守る為に、常に身近に備えておけるように在宅時、在校時は吊り下げロープで目立つ場所に常備し又、通勤通学時、外出時には持ち運べるようにしたトートバッグ兼用防災頭巾に関するものである。
【背景技術】
【０００２】  現在、防災頭巾は避難訓練時の使用しかなく非日常的な物である事からトートバッグ兼用防災頭巾を考案した。いつ遭遇するか分からない非常事態に即対応出来るようにファスナーの開閉及び手提げ紐兼顎紐の複数個のホックを着脱し、頭部に頭巾を被り、口元で顎紐として結ぶだけで簡単にトートバッグから防災頭巾へ移行させることができる。トートバッグ全体を縫合によりポケット状に区切った事により非常持出し品等を収納、常備しておくことができその上、日用品も収納し日常的にトートバッグとしても使用可能とした。又、緊急避難発生時等にも活用出来る個人情報等記入したカードを収納可能な笛及び携帯ライト等を取り付けられるハトメによるホール及び輪にしたロープを設けてある。又、防災頭巾上部には落下物より頭部を保護する為の衝撃吸収マットを常時装備収納している今までにない優れた画期的なトートバッグ兼用防災頭巾を考案した。【０００３】  従来の中綿のみで製作された防災頭巾と異なり、トートバッグ全体を縫合し、ポケット状に区切ってある為、ポケット状の中に落下物より頭部を保護する衝撃吸収マットを装備収納させ、非常持出し品等を日常的に収納常備しておける考案である。【０００４】  従来の中綿入りクッションのみの防災頭巾ではなく、デザイン、カラー、プリント等を考慮し、おしゃれ感も充実させると良い。
【考案の概要】
【考案が解決しようとする課題】
【０００５】  従来の中綿のみで製作された防災頭巾は通勤通学時、外出時には持ち歩きにくいのでいつ遭遇するか分からない非常時災害時等、防災頭巾としての役割が果たせないと考え、落下物より頭部を保護する衝撃吸収マットをポケット状に区切った防災頭巾の頭頂部のポケットの中に収納し、他のポケットには非常持出し品等と共に収納し、帰宅困難時、避難所や自宅に向かう時に大いに活用でき災害発生時、自身の身を守ることが出来るトートバッグ兼用防災頭巾を考案したものである。
【課題を解決する為の手段】
【０００６】  トートバッグ手提げ紐兼顎紐の縫合部根元部分に個人情報等記入したカードを収納可能な笛を取り付ける為のハトメによるホール及び輪にしたロープを設けた事により現在は入手困難な個人情報を素早く提供する事により、他者よりの救助をより受けやすくする為に工夫した。
【０００７】  在宅時、在校時、通勤通学時、外出時と２４時間身近に備えておくことにより、自身の身を守る事が出来る上、誰人に於いてもバッグの少なくとも２側面に設けたファスナーの開閉及び手提げ紐兼顎紐の複数個のホックを着脱し、頭部に頭巾を被り、口元で顎紐として結ぶだけで簡易かつ簡単にバッグから防災頭巾へと移行する事が出来る。
【０００８】  トートバッグ全体を縫合によりポケット状に区切ってある為、ポケットの中に必要に応じた非常持出し品等及び落下物より頭部を保護する衝撃吸収マットを常に収納しておける上、日常的な荷物も入れられるよう工夫した。
【０００９】  トートバッグ全体を縫合によりポケット状に区切りポケットの入口には対面にポケット１ヶ所につき少なくとも２枚ずつマジックテープ（登録商標）等で止められるようにしてあり、又、吊り下げロープ等で吊り下げてもポケットの中の収納物等の落下防止が出来る。
【考案の効果】
【００１０】  本考案のトートバッグ兼用防災頭巾はトートバッグ全体を縫合によりポケット状に区切りを付けた複数のポケットの中に災害発生避難時等に最小限必要とする非常持出し品等又、落下物等より頭部を保護する衝撃吸収マットを収納しておき尚且つ、バッグの少なくとも２側面に取り付けてあるファスナーを開閉し、手提げ紐兼顎紐の複数個のホックを着脱し、頭部に頭巾を被り、口元で顎紐として結ぶだけで誰人に於いても簡単にトートバッグより防災頭巾へと移行出来る事を可能にした。又、上記衝撃吸収マットは図２のＡ、Ｂ、Ｃに示す構造で、衝撃を吸収する突起を表面全体に設けてある。尚、構造はこれに限らず衝撃の吸収性のある物を用いても良い。
【００１１】  本考案のトートバッグ兼用防災頭巾はトートバッグ全体を縫合により、ポケット状に区切ったポケットの中に非常持出し品等や衝撃吸収マット等を収納出来るのみならず、日常的に通勤通学時、外出時は日用品等も収納でき、持ち運べる事を可能にした。
【００１２】  本考案のトートバッグ兼用防災頭巾は在宅時、在校時に於いては防災頭巾頭部頂点に少なくとも１ヶ所に吊り下げロープを設けた事により常に身近に配置しておける事を可能にした。
【００１３】  本考案のトートバッグ兼用防災頭巾はトートバッグ全体を縫合によりポケット状に区切った複数のポケットの入口にはポケット１ヶ所につき２枚ないし、複数枚のマジックテープ（登録商標）等を取り付けてあり、ポケットの入口を塞ぐことにより非常持出し品等、又、衝撃吸収マットがポケットの中より落下する事を防ぐ事を可能にした。
【００１４】  本考案のトートバッグ兼用防災頭巾はキルティング地、デニム地、レザー地等の厚みのある生地を使用し４層に縫い合わせてあるので、バッグとしても丈夫であり尚且つ防炎性、防水性を持たせた上、バッグとしてのデザイン、カラー、プリント地等おしゃれ感を出すことで成人のバッグとしても使用出来る事を可能にした。
【００１５】  従来の防災頭巾は表地ないし、裏地に個人情報等を布ないし、シールに記入し貼ってあるが、個人情報等を表面に出せない昨今の事情には合わないと考える。本考案のトートバッグ兼用防災頭巾は住所、氏名、年齢、連絡先、血液型、持病等の個人情報等を記入したカードを収納可能な笛及び携帯ライト等を装着させる為に、トートバッグ手提げ紐兼顎紐縫合部根元に少なくとも１ヶ所にハトメによるホール及び輪にしたロープを設けた事により、心身共に安心感を得られる事を可能にした。又、緊急避難時等に笛等使用した場合、他者よりの救助をより受けやすくすることを可能にした。
【図面の簡単な説明】
【００１６】
【図１】本考案トートバッグ兼用防災頭巾のトートバッグ時外観図  Ａ．正面図  Ｂ．裏面図  Ｃ．開放上面斜視図
【図２】本考案トートバッグ兼用防災頭巾の防災頭巾時頭部保護衝撃吸収マット図  Ａ．全面図  Ｂ．二つ折り図  Ｃ．断面図
【図３】本考案トートバッグ兼用防災頭巾のトートバッグ時衝撃吸収マット収納図  Ａ．展開図  Ｂ．正面図  Ｃ．裏面図
【図４】本考案トートバッグ兼用防災頭巾の防災頭巾時外観図  Ａ．上面斜視図  Ｂ．衝撃吸収マット収納上面図
【考案を実施する為の形態】
【００１７】  本考案のトートバッグ兼用防災頭巾は本体をキルティング地、デニム地、レザー地等を使用し、生地を２層に折り、生地をポケット状に縦方向に間隔を開け複数箇所を縫い合わせてポケットを作成し、更に折り４層に重ねて縫合し、バッグ型となったところで、少なくともバッグの２側面にファスナーを取り付けた。バッグを折り重ね輪になった頭巾登頂部分には落下物等より頭部を保護する為の衝撃吸収マットを収納出来るようにし、他、複数箇所のポケット状の中に非常持出し品等を収納出来るようにした。又、防災頭巾として使用時、緊急避難時等、他者よりの誘導音が聞き取り易くなるよう少なくとも２ヶ所にハトメによる耳穴等を設けた。又、他者では現在入手困難な個人情報等を記入出来るカードを収納可能な笛と携帯ライト等を取り付けられるように手提げ紐兼顎紐縫合部根元の複数箇所にハトメによるホール及び輪にしたロープを設けた。トートバッグより防災頭巾へ移行するには少なくともトートバッグ２側面に設けてあるファスナーを開閉し、手提げ紐兼顎紐の複数個のホックを着脱し、頭部に頭巾を被り、口元で顎紐として結ぶだけの簡単操作で移行出来るようにした。
【実施例】
【００１８】  本考案のトートバッグ兼用防災頭巾はキルティング地、デニム地、レザー地等を使用し、二つ折りにしたものを更に合わせ４層にして縫合し、トートバッグとした場合１の少なくとも２側面に開閉可能なファスナーを取り付け、更にトートバッグの５、６の点線と７の一部の点線で示してある部分を縦方向に縫合しポケット状に区切りを付け、トートバッグ全体に少なくとも１２、１３、１４、１５、１６、１７の６ヶ所のポケットを設けたことを特徴とする。【００１９】  ４の手提げ紐兼顎紐はバッグとしての機能と頭巾時顎紐としての機能も、持たせる為に本体４Ａ、４Ｂはバッグ本体に縫合し４Ｃ、４Ｄの箇所は複数個のホックで着脱可能としてある。【００２０】  防災頭巾使用時、１のファスナーの開閉をし、４の手提げ紐兼顎紐の複数個のホックを着脱し口元に於いて結び、顎紐とすることにより簡単操作でトートバッグから防災頭巾に移行できる。【００２１】  トートバッグ全体を５、６の点線箇所及び７の一部点線箇所の少なくとも５ヶ所に示してある箇所を縦方向に縫合し、ポケット状に区切ってあることから１４、１５のポケット状の中に１０の落下物等より頭部を保護する衝撃吸収マットを収納し、１２、１３、１６、１７のポケット状の中に非常持出し品等を収納できるようにした。【００２２】  又、トートバッグとして使用時は１８のスペースの中に日用品等も収納し持ち運びが出来ることを可能にした。尚、防災頭巾使用時１８のスペースの中に収納した日用品等は取り出してから使用する。【００２３】  又、通勤通学時、外出時はもとより手提げ紐兼顎紐縫合部根元内側８に個人情報等記入可能なカードの収納可能な笛と携帯ライト等を取り付けられるハトメによるホール及び輪にしたロープを設けた事により、日常的に緊急事態発生時にも即、対応でき安心安全を確保できる上、他者よりの救助等を受け易くした。【００２４】  防災頭巾使用時は緊急避難時等、外部からの誘導音等を聞き取りやすくする為に３の左右に少なくとも２ヶ所にハトメ等で耳穴を設けた。【００２５】  在宅時、在校時、身近に常備しておく場合２の吊り下げロープにより適所に配置及び吊り下げておける事を可能にした。【００２６】  又、１２、１３、１４、１５、１６、１７のポケット状の入口は９のマジックテープ（登録商標）等の開閉によりポケット内の収納品等の落下を防ぐ事を可能にした。
【産業上の利用可能性】
【００２７】  地震及び災害等頻発の昨今、非常持出し品等又、落下物等より頭部を保護する衝撃吸収マットを収納して通勤通学時、外出時、在宅時、在校時と常に身近に常備しておける上、トートバッグの少なくとも２側面に取り付けたファスナーの開閉と手提げ紐兼顎紐の複数個のホックを着脱し、頭部に頭巾を被り、口元で顎紐として結ぶだけで誰人に於いても簡単操作によりトートバッグより防災頭巾へと移行可能な至急各自で常備しておく必要性の高い画期的なトートバッグ兼用防災頭巾であり、産業上の利用価値の高いものである。
【符号の説明】
【００２８】  １    ファスナー取り付け部
２    吊り下げロープ
３    集音耳穴ハトメ
４    手提げ紐兼顎紐
手提げ紐兼顎紐縫合部４Ａ
手提げ紐兼顎紐縫合部４Ｂ
手提げ紐兼顎紐複数個ホック着脱部４Ｃ
手提げ紐兼顎紐複数個ホック着脱部４Ｄ
５    ポケット状に縫合した部
６    ポケット状に縫合した部
７    トートバッグ時本体側面、防災頭巾時頭頂部一部縫合部
８    笛とライト取り付け用ハトメによるホール及び輪にしたロープ
９    ポケットスペース入口開閉マジックテープ（登録商標）
１０  衝撃吸収マット
１１  キルティング地４層縫合部
１２  ポケットスペース部トートバッグ時本体正面図右部防災頭巾時本体下部
１３  ポケットスペース部トートバッグ時本体正面図中央部防災頭巾時本体中央部
１４  ポケットスペース部トートバッグ時本体正面図左部防災頭巾時本体上部
１５  ポケットスペース部トートバッグ時本体裏面図右部防災頭巾時本体上部
１６  ポケットスペース部トートバッグ時本体裏面図中央部防災頭巾時本体中央部
１７  ポケットスペース部トートバッグ時本体裏面図左部防災頭巾時本体下部
１８  トートバッグ時日用品等収納スペース部
【図１】
0003180242.tif 000003
【図２】
0003180242.tif 000004
【図３】
0003180242.tif 000005
【図４】
0003180242.tif 000006
【手続補正書】
【提出日】平成24年9月18日(2012.9.18)
【手続補正１】
【補正対象書類名】実用新案登録請求の範囲
【補正対象項目名】全文
【補正方法】変更
【補正の内容】
【実用新案登録請求の範囲】
【請求項１】
トートバッグ兼用防災頭巾に於いて、トートバッグ生地を二層に折り、生地を縦方向に間隔を開け、複数箇所を縫い合わせて複数のポケットを作成し、落下物より頭部を保護する衝撃吸収マットが収納された事を特徴とするトートバッグ兼用防災頭巾。
【請求項２】
トートバッグ兼用防災頭巾の２側面にファスナーを設け、バッグ型にした中央部に手提げ紐兼顎紐を縫合により取り付け、更に前記手提げ紐兼顎紐の一部は着脱可能としてあり、又、吊り下げロープをバッグ下側の角部に縫合により取り付けてあり、又、集音の為の耳穴はバッグ真ん中以外の縫合部に取り付けてあり、更に個人情報等記入したカードを収納可能な笛と携帯ライトを取り付け可能なハトメによるホール又は輪にしたロープをトートバッグ手提げ紐兼顎紐縫合部裏面に設けてあり、トートバッグ時はファスナーを閉じ、防災頭巾時はファスナーを開き、更に手提げ紐兼顎紐の一部を着脱し、頭部に頭巾を被り、口元で顎紐として結ぶだけの簡単操作でバッグから防災頭巾へ移行出来るようにした事を特徴とする請求項１記載のトートバッグ兼用防災頭巾。